(57)【要約】【課題】本発明は、簡単な構造で、ルーバの取り付け向きを容易に調整することのできるルーバ取り付け構造を提供することを目的としている。【解決手段】本発明に係るルーバ取り付け構造は、換気用窓の内側に位置するベース体と、ベース体に直接固定される固定体と、固定体に弾性変形により嵌合されるカバー体とで構成され、固定体の周縁部には溝を形成すると共に、カバー体の内側周縁には、溝にガイドされる突起部を設けることを特徴とする。【選択図】図５
2010281122.tif 000002
【特許請求の範囲】
【請求項１】
キャビネットに設けられた換気用窓に、複数の通気孔と該通気孔をそれぞれ被覆するガラリとを有するカバー体を取り付けるための構造であって、前記換気用窓の内側に位置するベース体と、該ベース体に直接固定される固定体と、該固定体に弾性変形により嵌合されるカバー体とで構成され、前記固定体の周縁部には溝を形成すると共に、前記カバー体の内側周縁には、前記溝にガイドされる突起部を設けることを特徴とするルーバ取り付け構造。
【請求項２】
前記ルーバ取り付け構造であって、前記カバー体内側周縁に設けられる突起部は複数とし、前記溝には、それぞれの前記突起部の動きを規制するストッパを設けることを特徴とするルーバ取り付け構造。
【発明の詳細な説明】
【技術分野】
【０００１】
本発明は、キャビネットに設けられた換気用窓に、複数の通気孔と通気孔をそれぞれ被覆するガラリとを有するカバー体を取り付けるための構造に関するものである。
【背景技術】
【０００２】
従来のキャビネットに設置されるルーバ装置として、雄ネジ部が設けられた円形筒部を有するルーバ取付本体と、雌ネジ部が設けられた締付部材とでキャビネットに設けられた換気窓を挟持するように取り付けるものがあった。前面側はルーバカバーで覆い、取り付けは、円形筒部に係止させると共に、前面よりルーバ取付本体にネジ止めにより固定していた。
【先行技術文献】
【特許文献】
【０００３】
【特許文献１】特開２００６−３２９５２２号公報
【発明の概要】
【発明が解決しようとする課題】
【０００４】
しかしながら、上記従来技術におけるルーバ装置では、ルーバカバーがルーバ取付本体に
直接固定されるため、ルーバ取付本体がまっすぐに取り付いていないと、ルーバカバーもまっすぐに取り付かない構造であった。換気用に設けた窓にルーバを取り付けることで、換気をしながら塵埃や雨水の侵入を防止するが、ルーバの外側に設けられたガラリが下向きに構成されないと、塵埃や雨水の侵入の虞があり、内部機器の消耗を進めたりしてしまうという欠点があった。そして、このルーバ装置では、ガラリの向きを修正する場合には、すべての部品を外し、ルーバ取付本体を取り付け直すことから始めなくてはならず、大変な手間がかかっていた。
【課題を解決するための手段】
【０００５】
そこで本発明は、簡単な構造で、ルーバの取り付け向きを容易に調整することのできるルーバ取り付け構造を提供することを目的とし、その構造は、換気用窓の内側に位置するベース体と、ベース体に直接固定される固定体と、固定体に弾性変形により嵌合されるカバー体とで構成され、固定体の周縁部には溝を形成すると共に、カバー体の内側周縁には、溝にガイドされる突起部を設けることを特徴とする。
【０００６】
また、カバー体内側周縁に設けられる突起部は複数とし、溝には、それぞれの突起部の動きを規制するストッパを設けることを特徴とする。
【発明の効果】
【０００７】
本発明に係るルーバ取り付け構造は、換気用窓の内側に位置するベース体と、ベース体に直接固定される固定体と、固定体に弾性変形により嵌合されるカバー体とで構成され、固定体の周縁部には溝を形成すると共に、カバー体の内側周縁には、溝にガイドされる突起部を設けるため、カバー体は、ベース体ではなく固定体に取り付けられ、カバー体の取り付け方向は、キャビネットの外側からの作業で調整することができる。特別な工具も用いることなく、作業効率を向上させることができる。
【０００８】
また、カバー体内側周縁に設けられる突起部は複数とし、溝には、それぞれの突起部の動きを規制するストッパを設けるため、突起部の移動できる範囲が制限され、簡単にカバー体の取り付け方向の調整ができる構造である。
【図面の簡単な説明】
【０００９】
【図１】本発明に係るルーバ取り付け構造を示す説明図である。
【図２】本発明に係るルーバ取り付け構造を示す分解斜視図である。
【図３】本発明に係るルーバをキャビネットに取り付ける状態を示す説明図である。
【図４】本発明に係るルーバ取り付け構造をキャビネット外側から見た説明図である。
【図５】本発明に係るルーバ取り付け構造の一部拡大図である。
【図６】本発明に係るルーバのカバー体を示す説明図である。
【発明を実施するための形態】
【００１０】
本発明に係るルーバの取り付け構造の実施例を図１〜図６の添付図面に基いて説明する。
【００１１】
電気機器や通信機器を収納するキャビネット１の内部温度上昇を抑えるためにキャビネット１には換気用窓２が開口されている。換気用窓２に塵埃や雨水の侵入を防ぐために設けられるルーバ取り付け構造である。
【００１２】
カバー体３は前面に複数の通気孔４が形成され、隙間が形成されると共に、塵埃や雨水の侵入を防ぐためにそれぞれの通気孔４にガラリ５が設けられた構造である。カバー体３の背面はフィルタ６や防虫網７を収納するスペース８が形成されている。背面の内側周縁には突起部９を形成する。また、背面から前面に向かって側面部１０には切欠き１１を形成する。カバー体３の略中央部にはねじ部１２が設けられる。
【００１３】
固定体１３は、略円筒状とし、円筒部１４の内側には雌ねじ部１５が形成されている。固定体１３の前面側周縁部にはカバー体３に設けられた突起部９が移動可能である幅の、溝１６が設けられる。固定体３の略中央部にはねじ受け部１７が設けられる。
【００１４】
ベース体１８は側面全体にねじ溝が形成された筒状の雄ねじ部１９と、雄ねじ部１９の背面側に形成された枠片２０とで構成されている。ベース体１８の内部にはさらに通気孔２１とガラリ２２とが形成されている。
【００１５】
ベース体１８と固定体１３との間に隙間が生じないように、ベース体１８には雄ねじ部１９を被覆するように、スペーサ２０を取り付けることがある。スペーサ２０には係止体２３が形成され、ベース体１８には係止体２３が係止可能である係止受け部２４が形成されている。スペーサ２０の係止体２３は弾性体でベース体１８の係止受け部２４に嵌合させる。また、スペーサ２０はパッキン２５を介してベース体１８に取り付けるとさらに気密性が富む。
【００１６】
キャビネット１に設けられた換気用窓２に内側からベース体１８を当てる。キャビネット１の外側から固定体１３を当て、ベース体１８と固定体１３と、それぞれの雌ねじ部１５と雄ねじ部１９とを対向させ螺入して換気用窓２にベース体１８と固定体１３とを固定する。
【００１７】
固定体３の前面側に、カバー体３を取り付けるが、カバー体３と固定体１３との間にはフィルタ６や防虫網７というようなキャビネット１外部からの塵埃や昆虫等の異物の侵入をさらに防止するためのものを設ける。カバー体３の弾性を利用して、カバー体３の突起部９を固定体１３の溝１６に嵌合させる。そして、前面からカバー体３のねじ部１２と固定体３のねじ受け部１７とにそれぞれねじ２６を挿通し、締め付け、カバー体３を固定体１３に固定する。
【００１８】
固定した後に、カバー体３のガラリ５が水平になっていなかった場合、ねじ２６を緩めて、固定体１３の溝１６にカバー体３の突起部９をガイドさせてカバー体３の位置あわせをした後、ねじ２６を締め直し固定する。
【００１９】
また、カバー体３の側面に設けられる切欠き１１は、一旦固定体１３に取り付けたカバー体３を取り外したいときにドライバー等の工具を差し込むためのものである。
【００２０】
請求項２に係るルーバの取り付け構造では、カバー体３の回転角度を規制する構造を提供する。固定体１３に設けられた溝１６には、固定体１３の円周を分割して複数のストッパ２５を形成する。カバー体３のガラリ５向きの調整のためには、カバー体３は一周回転する必要はないので、ストッパ２５の間の溝１６で突起部９をガイドさせる。カバー体３を回転できる範囲が規制されることで、より簡単にカバー体３の取り付け方向の調整を行うことができる。
【００２１】
また、溝１６は、固定体１３の円周部に設けられるため、正面からみてストッパ２７の位置が目視できないので正面側に目印としての突起２８を設けることも可能である。突起２８を目印に、ストッパ２７を避けてカバー体３の突起部９を溝１６に嵌合し、カバー体３を固定体１３に装着する。
【００２２】
以上のように構成されたルーバは、通気性を確保しつつも、塵埃や雨水等の侵入を防止し、簡単に換気用窓に設置できるものである。
【符号の説明】
【００２３】
１    キャビネット
２    換気用窓
３    カバー体
４    通気孔
５    ガラリ
６    フィルタ
７    防虫網
８    スペース
９    突起部
１０  側面部
１１  切欠き
１２  ねじ部
１３  固定体
１４  円筒部
１５  雌ねじ部
１６  溝
１７  ねじ受け部
１８  ベース体
１９  雄ねじ部
２０  スペーサ
２１  通気孔
２２  ガラリ
２３  係止体
２４  係止受け部
２５  パッキン
２６  ねじ
２７  ストッパ
２８  突起
【図１】
2010281122.tif 000003
【図２】
2010281122.tif 000004
【図３】
2010281122.tif 000005
【図４】
2010281122.tif 000006
【図５】
2010281122.tif 000007
【図６】
2010281122.tif 000008